(57)【要約】【課題】乾燥効率の向上を可能とする流動層乾燥装置を提供する。【解決手段】流動層の湿潤燃料の移動方向に乾燥容器１０１を分割して、少なくとも２以上（本実施例では２つ）の乾燥室１１１ａ、１１１ｂを形成し、各乾燥室内の各々に流動層の湿潤燃料を加熱する２以上の伝熱管１０６ａ、１０６ｂとを備えてなり、前記湿潤燃料投入部１０２側の乾燥室１１１ａ内の伝熱管１０６ａを粗く配設する。【選択図】図１
2013108700.tif 000002
【特許請求の範囲】
【請求項１】
中空形状をなす乾燥容器と、
該乾燥容器の一端側に湿潤燃料を投入する湿潤燃料投入部と、
前記乾燥容器の他端側から湿潤燃料が加熱乾燥した乾燥物を排出する乾燥物排出部と、
前記乾燥容器の下部に流動化蒸気又は流動化ガスを供給することで湿潤燃料と共に流動層を形成する流動化蒸気又は流動化ガス供給部と、
前記乾燥容器の上方から流動化蒸気又は流動化ガス及び発生蒸気を排出するガス排出部と、
前記流動層の湿潤燃料の移動方向に乾燥容器を分割して、少なくとも２以上の乾燥室を形成し、各乾燥室内の各々に伝熱管とを備えてなり、
前記湿潤燃料投入部側の乾燥室内の前記伝熱管を他の乾燥室内の伝熱管よりも粗く配設することを特徴とする流動層乾燥装置。
【請求項２】
請求項１において、
前記湿潤燃料投入部側の乾燥室の前記伝熱管の加熱温度は、前記他の乾燥室内の伝熱管よりも高くすることを特徴とする流動層乾燥装置。
【請求項３】
請求項１又は２において、
前記湿潤燃料投入部の乾燥室内への流動化蒸気又は流動化ガスの流速を速くすることを特徴とする流動層乾燥装置。
【請求項４】
請求項１乃至３のいずれか一つにおいて、
前記乾燥物排出部側の乾燥室の伝熱管を密に配設することを特徴とする流動層乾燥装置。
【請求項５】
請求項１乃至４のいずれか一つにおいて、
前記乾燥物排出部側の乾燥室の伝熱管の管径を小径にすることを特徴とする流動層乾燥装置。
【請求項６】
請求項１乃至５のいずれか一つにおいて、
前記乾燥容器の複数の分割が、仕切板により分割されていると共に、前記仕切板の一部に開口部が形成されていることを特徴とする流動層乾燥装置。
【発明の詳細な説明】
【技術分野】
【０００１】
本発明は、流動化蒸気又は流動化ガスにより被乾燥物を流動させながら乾燥させる流動層乾燥装置に関するものである。
【背景技術】
【０００２】
例えば、石炭ガス化複合発電設備は、石炭をガス化し、コンバインドサイクル発電と組み合わせることにより、従来型の石炭火力に比べてさらなる高効率化・高環境性を目指した発電設備である。この石炭ガス化複合発電設備は、資源量が豊富な石炭を利用可能であることも大きなメリットであり、適用炭種を拡大することにより、さらにメリットが大きくなることが知られている。
【０００３】
従来の石炭ガス化複合発電設備は、一般的に、給炭装置、乾燥装置、石炭ガス化炉、ガス精製装置、ガスタービン設備、蒸気タービン設備、排熱回収ボイラ、ガス浄化装置などを有している。従って、石炭が乾燥されてから粉砕され、石炭ガス化炉に対して、微粉炭として供給されると共に、空気が取り込まれ、この石炭ガス化炉で石炭が燃焼ガス化されて生成ガス（可燃性ガス）が生成される。そして、この生成ガスがガス精製されてからガスタービン設備に供給されることで燃焼して高温・高圧の燃焼ガスを生成し、タービンを駆動する。タービンを駆動した後の排気ガスは、排熱回収ボイラで熱エネルギが回収され、蒸気を生成して蒸気タービン設備に供給され、タービンを駆動する。これにより発電が行なわれる。一方、熱エネルギが回収された排気ガスは、ガス浄化装置で有害物質が除去された後、煙突を介して大気へ放出される。
【０００４】
ところで、このような石炭ガス化複合発電設備にて使用する石炭は、瀝青炭や無煙炭のように高い発熱量を有する高品位の石炭（高品位炭）だけでなく、亜瀝青炭や褐炭のように比較的低い発熱量を有する低品位の石炭（低品位炭）がある。この低品位炭は、持ち込まれる水分量が多く、この水分により発電効率が低下してしまう。そのため、低品位炭の場合には、上述した乾燥装置により石炭を乾燥して水分を除去してから粉砕して石炭ガス化炉に供給する必要がある。
【０００５】
このような石炭を乾燥する乾燥装置としては、下記特許文献１及び２に記載されたものがある。この特許文献１に記載された流動乾燥方法及び流動層乾燥装置は、供給室に燃料供給口から水分を含む湿潤燃料を供給し、供給室及び乾燥分級室の分散板を通しての流動化ガスにより被流動物を流動させて乾燥及び微粉と粗粒に分級処理する際、供給室の流動層の層厚みを乾燥分級室の流動層の層厚みとは別に制御するものである。
【０００６】
また、特許文献２に記載された流動乾燥機及び乾燥方法は、装入シュート直下部のガス分散板下側から吹き込む熱源兼流動化ガスの流速を、装入シュート直下部以外のガス分散板下側から吹き込む熱源兼流動化ガスの流速よりも速くするようにしている。
【先行技術文献】
【特許文献】
【０００７】
【特許文献１】特開２００８−１２８５２４号公報
【特許文献１】特開２０１１−６９６０９号公報
【発明の概要】
【発明が解決しようとする課題】
【０００８】
上述したように低品位炭は、高品位炭に比べて水分量が多いことから、乾燥装置における流動化不良が発生し、乾燥不良が発生するおそれがある。特に、入口部に近い領域では、水分濃度が高く、粒子の分散性が良くないことから、伝熱管の近傍や底面部での流動化不良、付着、堆積を引き起こし、閉塞に至る可能性もある。そのため、投入する石炭の量を減少させる必要があり、処理量が減少してしまうという問題がある。
【０００９】
上述した特許文献１に記載された提案では、供給室の流動層の層厚みを乾燥分級室の流動層の層厚みとは別に制御することで、水分量の多い原料（原炭）を原料粒子の塊成化や装置への付着の発生を抑制しながら安定的に乾燥及び分級するものである。しかし、この技術では、供給室における流動層単位体積あたりの水分蒸発負荷が増加してしまい、原料を適正に乾燥するための熱量が不足してしまうという問題がある。
【００１０】
また、特許文献２に記載された提案では、熱源兼流動化ガスの流速を、装入シュート直下部以外のガス分散板下側から吹き込む熱源兼流動化ガスの流速よりも速くするようにしているが、例えば褐炭等の低品位炭は、水分含量が６０％以上と、高品位炭である石炭の水分量（９〜１３％）よりも多いので、流動化ガスを高速にするだけでは不十分であり、低品位炭の乾燥に対応した更なる対策が切望されている。
また、低品位炭の乾燥用に水蒸気を利用した場合では、投入直後の原料粒子に水蒸気が凝縮し、凝集粒子を形成し、流動不良を発生させてしまう虞がある。
さらに、大容量の乾燥装置においては、乾燥を促進するために伝熱管が配設されているものもあるが、水分が極めて多い原料を供給した場合には、この伝熱管の周囲に付着し閉塞させてしまうという虞がある。
【００１１】
本発明は、上述した課題を解決するものであり、乾燥効率の向上を可能とする流動層乾燥装置を提供することを目的とする。
【課題を解決するための手段】
【００１２】
上述した課題を解決するための本発明の第１の発明は、中空形状をなす乾燥容器と、該乾燥容器の一端側に湿潤燃料を投入する湿潤燃料投入部と、前記乾燥容器の他端側から湿潤燃料が加熱乾燥した乾燥物を排出する乾燥物排出部と、前記乾燥容器の下部に流動化蒸気又は流動化ガスを供給することで湿潤燃料と共に流動層を形成する流動化蒸気又は流動化ガス供給部と、前記乾燥容器の上方から流動化蒸気又は流動化ガス及び発生蒸気を排出するガス排出部と、前記流動層の湿潤燃料の移動方向に乾燥容器を分割して、少なくとも２以上の乾燥室を形成し、各乾燥室内の各々に伝熱管とを備えてなり、前記湿潤燃料投入部側の乾燥室内の前記伝熱管を他の乾燥室内の伝熱管よりも粗く配設することを特徴とする流動層乾燥装置にある。
【００１３】
第２の発明は、第１の発明において、前記湿潤燃料投入部側の乾燥室の前記伝熱管の加熱温度は、前記他の乾燥室内の伝熱管よりも高くすることを特徴とする流動層乾燥装置にある。
【００１４】
第３の発明は、第１又は２の発明において、前記湿潤燃料投入部の乾燥室内への流動化蒸気又は流動化ガスの流速を速くすることを特徴とする流動層乾燥装置にある。
【００１５】
第４の発明は、第１乃至３のいずれか一つの発明において、前記乾燥物排出部側の乾燥室の伝熱管を密に配設することを特徴とする流動層乾燥装置にある。
【００１６】
第５の発明は、第１乃至４のいずれか一つの発明において、前記乾燥物排出部側の乾燥室の伝熱管の管径を小径にすることを特徴とする流動層乾燥装置にある。
【００１７】
第６の発明は、第１乃至５のいずれか一つの発明において、前記乾燥容器の複数の分割が、仕切板により分割されていると共に、前記仕切板の一部に開口部が形成されていることを特徴とする流動層乾燥装置にある。
【発明の効果】
【００１８】
本発明によれば、流動層の湿潤燃料の移動方向に乾燥容器を分割して、少なくとも２以上の乾燥室を形成し、各乾燥室内に流動層の湿潤燃料を加熱する２以上の伝熱管を備えてなり、湿潤燃料投入部側の乾燥室内の伝熱管を粗く配設するので、この湿潤燃料の予備乾燥が確実になされ、流動化不良、周囲への付着や堆積を抑制しつつ、後流側の乾燥室へ移動して、仕上げ乾燥を行うことで、湿潤燃料の乾燥効率を向上することができる。
これにより、湿潤燃料の入口側での乾燥における付着、閉塞、流動不良を回避することができ、単位体積あたりの乾燥効率向上により乾燥装置のコンパクト化と安定運転が可能となる。
【図面の簡単な説明】
【００１９】
【図１】図１は、本発明の実施例１に係る流動層乾燥装置を表す概略側面図である。
【図２】図２は、実施例１の流動層乾燥装置を表す図１のＡ−Ａ線概略断面図である。
【図３】図３は、実施例１の流動層乾燥装置を表す図１のＢ−Ｂ線概略断面図である。
【図４】図４は、本発明の実施例２に係る流動層乾燥装置を表す概略側面図である。
【図５】図５は、実施例の流動層乾燥装置が適用された石炭ガス化複合発電設備の概略構成図である。
【発明を実施するための形態】
【００２０】
以下、この発明につき図面を参照しつつ詳細に説明する。なお、この実施例により本発明が限定されるものではなく、また、実施例が複数ある場合には、各実施例を組み合わせて構成するものも含むものである。また、下記実施例における構成要素には、当業者が容易に想定できるもの、あるいは実質的に同一のものが含まれる。
【実施例１】
【００２１】
図１は、本発明の実施例１に係る流動層乾燥装置を表す概略側面図、図５は、実施例１の流動層乾燥装置が適用された石炭ガス化複合発電設備の概略構成図である。
【００２２】
実施例１の石炭ガス化複合発電設備（ＩＧＣＣ：Ｉｎｔｅｇｒａｔｅｄ  Ｃｏａｌ  Ｇａｓｉｆｉｃａｔｉｏｎ  Ｃｏｍｂｉｎｅｄ  Ｃｙｃｌｅ）は、空気を酸化剤としてガス化炉で石炭ガスを生成する空気燃焼方式を採用し、ガス精製装置で精製した後の石炭ガスを燃料ガスとしてガスタービン設備に供給して発電を行っている。即ち、本実施例の石炭ガス化複合発電設備は、空気燃焼方式（空気吹き）の発電設備である。この場合、ガス化炉に供給する湿潤燃料として低品位炭を使用している。
【００２３】
実施例１において、図５に示すように、石炭ガス化複合発電設備１０は、給炭装置１１、流動層乾燥装置１２、微粉炭機（ミル）１３、石炭ガス化炉１４、チャー回収装置１５、ガス精製装置１６、ガスタービン設備１７、蒸気タービン設備１８、発電機１９、排熱回収ボイラ（ＨＲＳＧ：Ｈｅａｔ  Ｒｅｃｏｖｅｒｙ  Ｓｔｅａｍ  Ｇｅｎｅｒａｔｏｒ）２０を有している。
【００２４】
給炭装置１１は、原炭バンカ２１と、石炭供給機２２と、クラッシャ２３とを有している。原炭バンカ２１は、低品位炭を貯留可能であって、所定量の低品位炭を石炭供給機２２に投下することができる。石炭供給機２２は、原炭バンカ２１から投下された低品位炭をコンベアなどにより搬送し、クラッシャ２３に投下することができる。このクラッシャ２３は、投下された低品位炭を所定の大きさに破砕することができる。
【００２５】
流動層乾燥装置１２は、給炭装置１１により投入された低品位炭に対して乾燥用蒸気（過熱蒸気）を供給することで、この低品位炭を流動させながら加熱乾燥するものであり、低品位炭が含有する水分を除去することができる。そして、この流動層乾燥装置１２は、下部から取り出された乾燥済の低品位炭を冷却する冷却器３１が設けられ、乾燥冷却済の乾燥炭が乾燥炭バンカ３２に貯留される。また、流動層乾燥装置１２は、上部から取り出された蒸気から乾燥炭の粒子を分離する乾燥炭サイクロン３３と乾燥炭電気集塵機３４が設けられ、蒸気から分離された乾燥炭の粒子が乾燥炭バンカ３２に貯留される。なお、乾燥炭電気集塵機３４で乾燥炭が分離された蒸気は、蒸気圧縮機３５で圧縮されてから流動層乾燥装置１２に乾燥用蒸気として供給される。
【００２６】
微粉炭機１３は、粉砕機であって、流動層乾燥装置１２により乾燥された低品位炭（乾燥炭）を細かい粒子状に粉砕して微粉炭を製造するものである。即ち、微粉炭機１３は、乾燥炭バンカ３２に貯留された乾燥炭が石炭供給機３６により投下され、この乾燥炭を所定粒径以下の低品位炭、つまり、微粉炭とするものである。そして、微粉炭機１３で粉砕後の微粉炭は、微粉炭バグフィルタ３７ａ，３７ｂにより搬送用ガスから分離され、微粉炭供給ホッパ３８ａ，３８ｂに貯留される。
【００２７】
石炭ガス化炉１４は、微粉炭機１３で処理された微粉炭が供給可能であると共に、チャー回収装置１５で回収されたチャー（石炭の未燃分）が戻されてリサイクル可能となっている。
【００２８】
即ち、石炭ガス化炉１４は、ガスタービン設備１７（圧縮機６１）から圧縮空気供給ライン４１が接続されており、このガスタービン設備１７で圧縮された圧縮空気が供給可能となっている。空気分離装置４２は、大気中の空気から窒素と酸素を分離生成するものであり、第１窒素供給ライン４３が石炭ガス化炉１４に接続され、この第１窒素供給ライン４３に微粉炭供給ホッパ３８ａ，３８ｂからの給炭ライン４４ａ，４４ｂが接続されている。また、第２窒素供給ライン４５も石炭ガス化炉１４に接続され、この第２窒素供給ライン４５にチャー回収装置１５からのチャー戻しライン４６が接続されている。更に、酸素供給ライン４７は、圧縮空気供給ライン４１に接続されている。この場合、窒素は、石炭やチャーの搬送用ガスとして利用され、酸素は、酸化剤として利用される。
【００２９】
石炭ガス化炉１４は、例えば、噴流床形式のガス化炉であって、内部に供給された石炭、チャー、空気（酸素）、またはガス化剤としての水蒸気を燃焼・ガス化すると共に、二酸化炭素を主成分とする可燃性ガス（生成ガス、石炭ガス）が発生し、この可燃性ガスをガス化剤としてガス化反応が起こる。なお、石炭ガス化炉１４は、微粉炭の混入した異物を除去する異物除去装置４８が設けられている。この場合、石炭ガス化炉１４は噴流床ガス化炉に限らず、流動床ガス化炉や固定床ガス化炉としてもよい。そして、この石炭ガス化炉１４は、チャー回収装置１５に向けて可燃性ガスのガス生成ライン４９が設けられており、チャーを含む可燃性ガスが排出可能となっている。この場合、ガス生成ライン４９にガス冷却器を設けることで、可燃性ガスを所定温度まで冷却してからチャー回収装置１５に供給するとよい。
【００３０】
チャー回収装置１５は、集塵装置５１と供給ホッパ５２とを有している。この場合、集塵装置５１は、１つまたは複数のバグフィルタやサイクロンにより構成され、石炭ガス化炉１４で生成された可燃性ガスに含有するチャーを分離することができる。そして、チャーが分離された可燃性ガスは、ガス排出ライン５３を通してガス精製装置１６に送られる。供給ホッパ５２は、集塵装置５１で可燃性ガスから分離されたチャーを貯留するものである。なお、集塵装置５１と供給ホッパ５２との間にビンを配置し、このビンに複数の供給ホッパ５２を接続するように構成してもよい。そして、供給ホッパ５２からのチャー戻しライン４６が第２窒素供給ライン４５に接続されている。
【００３１】
ガス精製装置１６は、チャー回収装置１５によりチャーが分離された可燃性ガスに対して、硫黄化合物や窒素化合物などの不純物を取り除くことで、ガス精製を行うものである。そして、ガス精製装置１６は、可燃性ガスを精製して燃料ガスを製造し、これをガスタービン設備１７に供給する。なお、このガス精製装置１６では、チャーが分離された可燃性ガス中にはまだ硫黄分（Ｈ２Ｓ）が含まれているため、アミン吸収液によって除去することで、硫黄分を最終的には石膏として回収し、有効利用する。
【００３２】
ガスタービン設備１７は、圧縮機６１、燃焼器６２、タービン６３を有しており、圧縮機６１とタービン６３は、回転軸６４により連結されている。燃焼器６２は、圧縮機６１から圧縮空気供給ライン６５が接続されると共に、ガス精製装置１６から燃料ガス供給ライン６６が接続され、タービン６３に燃焼ガス供給ライン６７が接続されている。また、ガスタービン設備１７は、圧縮機６１から石炭ガス化炉１４に延びる圧縮空気供給ライン４１が設けられており、中途部に昇圧機６８が設けられている。従って、燃焼器６２では、圧縮機６１から供給された圧縮空気とガス精製装置１６から供給された燃料ガスとを混合して燃焼し、タービン６３にて、発生した燃焼ガスにより回転軸６４を回転することで発電機１９を駆動することができる。
【００３３】
蒸気タービン設備１８は、ガスタービン設備１７における回転軸６４に連結されるタービン６９を有しており、発電機１９は、この回転軸６４の基端部に連結されている。排熱回収ボイラ２０は、ガスタービン設備１７（タービン６３）からの排ガスライン７０に設けられており、空気と高温の排ガスとの間で熱交換を行うことで、蒸気を生成するものである。そのため、排熱回収ボイラ２０は、蒸気タービン設備１８のタービン６９との間に蒸気供給ライン７１が設けられると共に、蒸気回収ライン７２が設けられ、蒸気回収ライン７２に復水器７３が設けられている。従って、蒸気タービン設備１８では、排熱回収ボイラ２０から供給された蒸気によりタービン６９が駆動し、回転軸６４を回転することで発電機１９を駆動することができる。
【００３４】
そして、排熱回収ボイラ２０で熱が回収された排ガスは、ガス浄化装置７４により有害物質を除去され、浄化された排ガスは、煙突７５から大気へ放出される。
【００３５】
ここで、実施例１の石炭ガス化複合発電設備１０の作動について説明する。
【００３６】
実施例１の石炭ガス化複合発電設備１０において、給炭装置１１にて、原炭（低品位炭）が原炭バンカ２１に貯留されており、この原炭バンカ２１の低品位炭が石炭供給機２２によりクラッシャ２３に投下され、ここで所定の大きさに破砕される。そして、破砕された低品位炭は、流動層乾燥装置１２により加熱乾燥された後、冷却器３１により冷却され、乾燥炭バンカ３２に貯留される。また、流動層乾燥装置１２の上部から取り出された蒸気は、乾燥炭サイクロン３３及び乾燥炭電気集塵機３４により乾燥炭の粒子が分離され、蒸気圧縮機３５で圧縮されてから流動層乾燥装置１２に乾燥用蒸気として戻される。一方、蒸気から分離された乾燥炭の粒子は、乾燥炭バンカ３２に貯留される。
【００３７】
乾燥炭バンカ３２に貯留される乾燥炭は、石炭供給機３６により微粉炭機１３に投入され、ここで、細かい粒子状に粉砕されて微粉炭が製造され、微粉炭バグフィルタ３７ａ，３７ｂを介して微粉炭供給ホッパ３８ａ，３８ｂに貯留される。この微粉炭供給ホッパ３８ａ，３８ｂに貯留される微粉炭は、空気分離装置４２から供給される窒素により第１窒素供給ライン４３を通して石炭ガス化炉１４に供給される。また、後述するチャー回収装置１５で回収されたチャーが、空気分離装置４２から供給される窒素により第２窒素供給ライン４５を通して石炭ガス化炉１４に供給される。更に、後述するガスタービン設備１７から抽気された圧縮空気が昇圧機６８で昇圧された後、空気分離装置４２から供給される酸素と共に圧縮空気供給ライン４１を通して石炭ガス化炉１４に供給される。
【００３８】
石炭ガス化炉１４では、供給された微粉炭及びチャーが圧縮空気（酸素）により燃焼し、微粉炭及びチャーがガス化することで、二酸化炭素を主成分とする可燃性ガス（石炭ガス）を生成することができる。そして、この可燃性ガスは、石炭ガス化炉１４からガス生成ライン４９を通して排出され、チャー回収装置１５に送られる。
【００３９】
このチャー回収装置１５にて、可燃性ガスは、まず、集塵装置５１に供給されることで、ここで可燃性ガスからこのガスに含有するチャーが分離される。そして、チャーが分離された可燃性ガスは、ガス排出ライン５３を通してガス精製装置１６に送られる。一方、可燃性ガスから分離した微粒チャーは、供給ホッパ５２に堆積され、チャー戻しライン４６を通して石炭ガス化炉１４に戻されてリサイクルされる。
【００４０】
チャー回収装置１５によりチャーが分離された可燃性ガスは、ガス精製装置１６にて、硫黄化合物や窒素化合物などの不純物が取り除かれてガス精製され、燃料ガスが製造される。そして、ガスタービン設備１７では、圧縮機６１が圧縮空気を生成して燃焼器６２に供給すると、この燃焼器６２は、圧縮機６１から供給される圧縮空気と、ガス精製装置１６から供給される燃料ガスとを混合し、燃焼することで燃焼ガスを生成し、この燃焼ガスによりタービン６３を駆動することで、回転軸６４を介して発電機１９を駆動し、発電を行うことができる。
【００４１】
そして、ガスタービン設備１７におけるタービン６３から排出された排気ガスは、排熱回収ボイラ２０にて、空気と熱交換を行うことで蒸気を生成し、この生成した蒸気を蒸気タービン設備１８に供給する。蒸気タービン設備１８では、排熱回収ボイラ２０から供給された蒸気によりタービン６９を駆動することで、回転軸６４を介して発電機１９を駆動し、発電を行うことができる。
【００４２】
その後、ガス浄化装置７４では、排熱回収ボイラ２０から排出された排気ガスの有害物質が除去され、浄化された排ガスが煙突７５から大気へ放出される。
【００４３】
以下、上述した石炭ガス化複合発電設備１０における流動層乾燥装置１２について詳細に説明する。
【００４４】
流動層乾燥装置１２は、図１に示すように、乾燥容器１０１と、原炭投入口（湿潤燃料投入部）１０２と、乾燥炭排出口（乾燥物排出部）１０３と、流動化蒸気又は流動化ガス（以下「流動化ガス」という）１０４（１０４ａ，１０４ｂ）を供給する流動化ガス供給部（図示せず）と、ガス排出口（ガス排出部）１０５と、伝熱管（加熱部）１０６ａ，１０６ｂとを有している。
【００４５】
乾燥容器１０１は、中空箱型形状をなしており、一端側に原炭（湿潤燃料）を投入する原炭投入口１０２が形成される一方、他端側の下部に原炭を加熱乾燥した乾燥物を排出する乾燥炭排出口１０３が形成され、該乾燥容器１０１の内部で押し出し形式（プラグフロー）により原炭を乾燥している。この場合、原炭投入口１０２や乾燥炭排出口１０３を乾燥容器１０１の端部に１つずつ設けたが、複数であってもよい。また、乾燥容器１０１は、下部に底板１０１ａから所定距離をあけて複数の開口を有する分散板１０８が設けられることで、風箱１０９が区画されている。そして、乾燥容器１０１は、この底板１０１ａ側の風箱１０９を介して分散板１０８の上方に流動化ガス（過熱蒸気）１０４を供給する流動化ガス供給部が設けられている。更に、乾燥容器１０１は、乾燥炭排出口１０３側の天井板１０１ｂに流動化ガス１０４及び発生蒸気を排出するガス排出口１０５が形成されている。
【００４６】
この乾燥容器１０１は、原炭投入口１０２から原炭が供給されると共に、流動化ガス供給部から風箱１０９及び分散板１０８を通して流動化ガス１０４が供給されることで、この分散板１０８の上方に所定厚さの流動層Ｓが形成されると共に、この流動層Ｓの上方にフリーボード部Ｆが形成される。
【００４７】
そして、本実施例の乾燥容器１０１は、内部が原炭の流動方向の上流側に設けられた第１乾燥室１１１ａと、原炭の流動方向の下流側に設けられた第２乾燥室１１１ｂとで構成され、分散板１０８上に第１乾燥室１１１ａと第２乾燥室１１１ｂとを仕切る仕切板１１３が設けられている。
【００４８】
この仕切板１１３は、分散板１０８の上面から設置され、仕切板の一部に原炭が通過する開口部（流通口）１１３ａを形成するようにしている。なお、開口部の形状及び開口大きさは、原炭の湿潤状態により、適宜変更又は変更可能となるようにしてもよい。また仕切板１１３の上端部が流動層Ｓより上方に延出するように位置しており、流動された原炭が仕切板１１３の上を越えて下流側に流入しないようにしている。
【００４９】
第１乾燥室１１１ａと第２乾燥室１１１ｂは、この仕切板１１３の上方で連通されている。この場合、第１乾燥室１１１ａは、フリーボード部Ｆ１と流動層Ｓ１が形成され、原炭の初期乾燥（予備乾燥）を行う領域となっており、第２乾燥室１１１ｂは、フリーボード部Ｆ２と流動層Ｓ２が形成され、原炭の後期乾燥（仕上乾燥）を行う領域となっている。
【００５０】
この場合、風箱１０９は、第１乾燥室１１１ａ及び第２乾燥室１１１ｂに対応した風箱１０９ａ，１０９ｂに区画され、風箱１０９ａ，１０９ｂに対応して流動化ガス供給部が設けられている。そして、図示しない流量調整弁の開度を調整することで、風箱１０９ａ，１０９ｂ内に供給する流動化ガス１０４ａ、１０４ａのガス量を調整することができる。
【００５１】
また、乾燥容器１０１内を２分割した、湿潤燃料投入部１０２側の第１乾燥室１１１ａ内に設置される伝熱管１０６ａは粗い配設状態としている。
また、乾燥物排出部１０３側の第２乾燥室１１１ｂ内に設置される伝熱管１０６ｂは、伝熱管１０６ａよりも細かい密の配設状態としている。
本実施例では、第２乾燥室１１１ｂ内に設けられる伝熱管１０６ｂを設計時の標準の伝熱管の設置状態とし、第１乾燥室１１１ａ内に設けられる伝熱管１０６ａを標準よりも粗い配設状態としている。なお、伝熱管の間隙及び管径は、投入する湿潤燃料の処理量及び処理時間に応じて適宜変更される。
【００５２】
図２は、実施例１の流動層乾燥装置を表す図１のＡ−Ａ線概略断面図である。
図３は、実施例１の流動層乾燥装置を表す図１のＢ−Ｂ線概略断面図である。
図２に示すように、第１乾燥室１１１ａ内の伝熱管１０６ａは、外部から乾燥容器１０１の側壁１０１ｃを貫通して流動層Ｓ１内に粗い所定間隔を持って配設されており、内部に過熱蒸気を供給して流動層Ｓ１内の原炭を加熱し、水分を除去して乾燥している。
【００５３】
図３に示すように、第２乾燥室１１１ｂ内の伝熱管１０６ｂは、外部から乾燥容器１０１の側壁１０１ｃを貫通して流動層Ｓ２内に細かい所定間隔を持って配設されており、内部に過熱蒸気を供給して流動層Ｓ２内の原炭を加熱して乾燥している。
【００５４】
このように、第１乾燥室１１１ａと第２乾燥室１１１ｂとで、伝熱管の間隔を異なるようにしているのは、第１乾燥室１１１ａでは、投入される原炭は、水分含有量が約６０％の水分が非常に多い湿潤状態であるので、伝熱管の間隔を細かくすると、原炭が伝熱管の間に詰まってしまい、乾燥効率が低下し好ましくないからである。
【００５５】
また、本実施例では、湿潤燃料投入部１０２側の第１乾燥室１１１ａの伝熱管１０６ａに導入する過熱蒸気の温度を、第２乾燥室１１１ｂの伝熱管１０６ｂに導入する過熱蒸気の温度よりも高くしている。なお、温度調整は過熱水蒸気の圧力制御によりおこなっている。
【００５６】
この温度の調整は、例えば伝熱管１０６ａに供給する過熱水蒸気の圧力を高くして、例えば１８０℃程度とし、伝熱管１０６ｂに供給する過熱水蒸気は、設計温度の例えば１５０℃とするようにしている。ここで、過熱水蒸気は、乾燥容器１０１のガス排出部１０５から排出される水蒸気を回収して、図示しない圧縮機等で再圧縮して潜熱回収をした水蒸気を用いることもできる。
【００５７】
これは、第１乾燥室１１１ａでは、水分の多い（例えば６０％）湿潤燃料であるので、水分の除去効率の向上を図るためである。
【００５８】
また、第２乾燥室１１１ｂ内に設置される伝熱管１０６ｂに供給する過熱蒸気の温度を、第１乾燥室１１１ａ内に設置される伝熱管１０６ａに供給する温度よりも低くしても良いのは、第２乾燥室１１１ｂ内に設けられる伝熱管１０６ｂは細かい配設としているので、伝熱面積が多くなると共に、第２乾燥室１１１ｂに移動される原炭は乾燥が進行しているので、投入直後の原炭よりもサラサラ状態となっており、伝熱管１０６ｂ内に供給する過熱水蒸気の温度を低くしても、良好な乾燥を行うことができるからである。
【００５９】
即ち、第１乾燥室１１１ａは、その室内において、供給された原炭の初期乾燥（予備乾燥）を形成する領域である。
このため、第１乾燥室１１１ａ内に設置する伝熱管１０６ａを粗く設置すると共に、供給する過熱水蒸気の圧力を高くすることで、高温状態での湿潤燃料の乾燥を行うことができる。この際、伝熱管１０６ａの間隙が粗いので、湿潤燃料の詰まりが防止される。
【００６０】
そして、予備乾燥された原炭は、仕切板１１３の開口部１１３ａの間隙から押し出され、第２乾燥室１１１ｂ内に導入され、ここで仕上げ乾燥が行われる。
仕上げ乾燥の第２乾燥室１１１ｂ内に設置する伝熱管１０６ｂは、伝熱管１０６ａよりも密の配設としており、乾燥効率を向上している。
ここで、押し出し流れとは、乾燥容器１０１内で形成される流動層Ｓ１、Ｓ２において、原炭が流動方向に拡散しないように、この原炭を流動方向に圧密状態で押し出す流れである。
【００６１】
これにより、第１乾燥室１１１ａの流動層Ｓ１及び第２乾燥室１１１ｂの流動層Ｓ２を形成する原炭は、上流側の第１乾燥室１１１ａから第２乾燥室１１１ｂに移動することで、湿潤燃料の湿潤状態に応じた乾燥が適切になされ、良好な押し出し流れとすることができ、流動方向に拡散させることなく乾燥される。
【００６２】
本実施例では、第１乾燥室１１１ａでは水分含有量が約６０％の原炭を例えば５０〜４０％に乾燥している。そして、第２乾燥室１１１ｂでは、例えば、水分含有率が５０〜４０％程度の原炭を、水分含有率が３０〜１０％程度となるまで仕上げ乾燥することができる。
【００６３】
また、本実施例では、第１乾燥室１１１ａ内に供給する流動化ガス１０４ａの流速を高速とし、第２乾燥室１１１ｂ内に供給する流動化ガス１０４ｂの流速を低速としている。
これにより、第１乾燥室１１１ａ内での投入された原炭を高速の流動化ガス１０４ａによりほぐすようにしている。
このように、湿潤燃料投入部側の第１乾燥室１１１ａ内の流動化ガス１０４ａの蒸気の上昇速度を速くすることで、伝熱管１０６ａへの付着を防止することが可能となる。
ここで、第１乾燥室１１１ａの流動化ガスの流速は、流動層Ｓ１を形成する最小流動化速度の３〜５倍程度まで増加させることが好ましく、第２乾燥室１１１ｂの流動化ガスの流速は、最小流動化速度を上回る程度とするのが好ましい。
【００６４】
なお、本実施例では、流動化ガス１０４（１０４ａ、１０４ｂ）の流速を異なるようにしているが、これに限定されず、第１乾燥室１１１ａ及び第２乾燥室１１１ｂ内に供給する流動化ガス１０４（１０４ａ、１０４ｂ）の流速は、その投入する湿潤燃料の水分量に応じて均一の流速としてもよい。
【００６５】
ここで、本実施例では、第１乾燥室１１１ａと第２乾燥室１１１ｂとの床面積比を５０％：５０％としているが、これに限定されず、両者の比率を３０〜５０％：７０〜５０％とするようにしてもよい。
これは、原炭の処理量に応じて最適な比率が設定されるものであり、例えば原炭の処理量が多い場合には、第１乾燥室１１１ａを広くすることが好ましく、適宜設定される。
【００６６】
本実施例では、第１乾燥室１１１ａと第２乾燥室１１１ｂとを仕切板１１３を介して、分割しているが、本発明はこれに限定されず、仕切板１１３を設けることなく、乾燥容器１０１内を分割するようにしてもよい。これは乾燥室が流動方向に長い場合に仕切板を設けることなく、乾燥容器１０１内を見かけ上分割することが可能となるからである。
【００６７】
ここで、実施例１の流動層乾燥装置１２の全体の作動について説明する。
【００６８】
流動層乾燥装置１２において、図１乃至図３に示すように、乾燥容器１０１に対して、原炭投入口１０２から原炭が供給されると共に、流動化ガス供給部から分散板１０８を通して、例えば過熱水蒸気の流動化ガス１０４（１０４ａ、１０４ｂ）が供給されることで、この分散板１０８の上方に所定厚さの流動層Ｓ（Ｓ１、Ｓ２）が形成される。湿潤燃料の原炭は、流動化ガス１０４（１０４ａ、１０４ｂ）により流動層Ｓ（Ｓ１、Ｓ２）を乾燥炭排出口１０３側に圧密状態で徐々に移動し、このとき、伝熱管１０６ａ，１０６ｂから熱を受けることで加熱されて乾燥される。
【００６９】
この場合、原炭は、原炭投入口１０２から乾燥炭排出口１０３まで移動する間に、伝熱管１０６ａ，１０６ｂからの熱や流動化ガス１０４により加熱乾燥されるが、原炭投入口１０２から投入された直後の原炭は、水分濃度が高く、適正な乾燥が困難となるおそれがある。
しかし、本実施例では、乾燥容器１０１内を原炭の流れ方向に湿潤燃料投入部１０２側の第１乾燥室１１１ａと、乾燥物排出部１０３側の第２乾燥室１１１ｂとに２分割し、更に、第１乾燥室１１１ａと第２乾燥室１１１ｂ内に設ける伝熱管１０６ａ、１０６ｂの配設割合を、第１乾燥室１１１ａ内の伝熱管１０６ａを粗くなるようにしている。そのため、原炭投入口１０２から第１乾燥室１１１ａに投入された原炭は、伝熱管１０６ａの間等に詰まることなく、先ず第１乾燥室１１１ａ内で初期乾燥（予備乾燥）がなされる。
【００７０】
第１乾燥室１１１ａで初期乾燥が終了した原炭は、仕切板１１３の開口部１１３ａにて押し流され、第２乾燥室１１１ｂに徐々に流動する。この第２乾燥室１１１ｂでは、原炭が流動化ガス１０４ｂにより流動層Ｓ２を流動し、流動層Ｓ２にて、伝熱管１０６ｂにより加熱されながら、押し出し流れとなって流動方向に拡散することなく乾燥される。
【００７１】
その後、原炭が乾燥された乾燥炭は、乾燥炭排出口１０３から外部に排出され、流動層Ｓ１、Ｓ２で原炭が加熱乾燥されることで発生した蒸気は、流動化ガスと共に上昇し、乾燥炭排出口１０３側に流れ、ガス排出口１０５から外部に排出される。
【００７２】
このように実施例１の流動層乾燥装置にあっては、中空形状をなす乾燥容器１０１と、乾燥容器１０１の一端側に原炭を投入する原炭投入口１０２と、乾燥容器１０１の他端側から原炭が加熱乾燥した乾燥炭を排出する乾燥炭排出口１０３と、乾燥容器１０１の下部に流動化ガス１０４ａ、１０４ｂを供給することで原炭と共に流動層Ｓを形成する流動化ガス供給部と、乾燥容器１０１の一端側における原炭投入口１０２より上方から流動化ガス及び発生蒸気を排出するガス排出口１０５と、前記流動層の湿潤燃料の移動方向に乾燥容器１０１を分割して、少なくとも２以上（本実施例では２つ）の乾燥室１１１ａ、１１１ｂを形成し、各乾燥室内の各々に流動層Ｓ（Ｓ１、Ｓ２）の湿潤燃料を加熱する２以上の伝熱管１０６ａ、１０６ｂとを備えてなり、前記湿潤燃料投入部１０２側の第１乾燥室１１１ａ内の伝熱管１０６ａを粗く配設すると共に、前記湿潤燃料投入部１０２側の乾燥室１１１ａの加熱温度を高くするものである。
【００７３】
従って、原炭投入口１０２から原炭が乾燥容器１０１内に投入されると共に、流動化ガス供給部から流動化ガス１０４（１０４ａ、１０４ｂ）が乾燥容器１０１の下部から分散板１０８を通して供給されると、原炭が流動化ガス１０４（１０４ａ、１０４ｂ）により流動することで流動層Ｓ（Ｓ１、Ｓ２）が形成され、この流動層Ｓの原炭が流動化ガスにより移動するとき、伝熱管１０６ａ、１０６ｂにより加熱されることで乾燥して乾燥炭となり、この乾燥炭が乾燥炭排出口１０３から外部に排出される一方、流動化ガスと原炭が乾燥することで発生した蒸気がガス排出口１０５から外部に排出される。
【００７４】
このとき、原炭投入部１０２から投入された投入直後の原炭は、水分量が多いものの、前記流動層の湿潤燃料の移動方向に乾燥容器１０１を分割して、少なくとも２以上の乾燥室１１１ａ、１１１ｂを形成し、各々の乾燥室１１１ａ、１１１ｂ内に流動層の湿潤燃料を加熱する２以上の伝熱管１０６ａ、１０６ｂとを備えてなり、前記湿潤燃料投入部１０２側の乾燥室１１１ａ内の伝熱管１０６ａを粗く配設すると共に、該伝熱管１０６ａの加熱温度を高くすることにより、この原炭の予備乾燥が確実になされ、流動化不良、周囲への付着や堆積を抑制しつつ、第２乾燥室１１１ｂへ押し流して、ここで仕上げ乾燥を行うことで、原炭の乾燥効率を向上することができる。
これにより、湿潤燃料の入口側での第１乾燥室１１１ａ内での乾燥における付着、閉塞、流動不良を回避することができ、単位体積あたりの乾燥効率向上により乾燥装置のコンパクト化と安定運転が可能となる。
【００７５】
本実施例では、原炭を乾燥する流動層を押し出し（プラグフロー）方式としているが、本願発明はこれに限定されず、流動層内で完全混合する完全混合方式にも適用することができる。また、初期乾燥を完全混合方式とし、仕上乾燥を押し出し（プラグフロー）方式とするようにしてもよい。
【実施例２】
【００７６】
図４は、本発明の実施例２に係る流動層乾燥装置を表す概略側面図である。なお、上述した実施例と同様の機能を有する部材には、同一の符号を付して詳細な説明は省略する。
【００７７】
実施例２の流動層乾燥装置において、図４に示すように、乾燥容器１０１を２つの仕切板１１３を用いて、３分割して第１乾燥室１１１ａ、第２乾燥室１１１ｂ及び第３乾燥室１１１ｃとしている。また、各乾燥室内には、各々伝熱管１０６ａ、１０６ｂ、１０６ｃが設けられている。
本実施例では、第２乾燥室１１１ｂ内に設置する伝熱管１０６ｂを標準の間隙とし、湿潤燃料投入部１０２側の第１乾燥室１１１ａに設置する伝熱管１０６ａは、伝熱管１０６ｂよりも粗い間隙とし、乾燥物排出部１０３側の第３乾燥室１１１ｃ内に設置する伝熱管１０６ｃは、伝熱管１０６ｂよりも密の間隙としている。
また、伝熱管１０６ａに供給する過熱水蒸気の圧力を高くして、例えば１８０℃程度としている。また、伝熱管１０６ｂ及び伝熱管１０６ｃに供給する過熱水蒸気は、設計温度の例えば１５０℃としている。
【００７８】
第１乾燥室１１１ａ内には流動化ガス１０４ａが風箱１０９ａから供給され流動層Ｓ１を形成し、第２乾燥室１１１ｂ内には流動化ガス１０４ｂが風箱１０９ｂから供給され流動層Ｓ２を形成し、第３乾燥室１１１ｃ内には流動化ガス１０４ｃが風箱１０９ｃから供給され流動層Ｓ３を形成している。なお、図中、符号Ｆ１、Ｆ２、Ｆ３はフリーボード部である。
【００７９】
本実施例では、乾燥容器１０１を３分割して、予備乾燥領域の第１乾燥室１１１ａ、定率乾燥領域の第２乾燥室１１１ｂ、及び仕上乾燥領域の第３乾燥室１１１ｃを形成し、各乾燥室内の各々に流動層Ｓ（Ｓ１、Ｓ２、Ｓ３）の湿潤燃料を加熱する伝熱管１０６ａ、１０６ｂ、１０６ｃとを備えてなり、前記湿潤燃料投入部１０２側の乾燥室１１１ａ内の伝熱管１０６ａを粗く配設すると共に、前記湿潤燃料投入部１０２側の乾燥室１１１ａの加熱温度を高くするものである。
【００８０】
また、流動化ガスの供給は、流動層Ｓ１を形成する流動化ガス１０４ａの流速を高速とし、流動層Ｓ２を形成する流動化ガス１０４ｂの流速を中速（標準：設計流速）とし、流動層Ｓ３を形成する流動化ガス１０４ｃの流速を低速としているが、本発明はこれに限定されるものではなく、例えば流動化ガス１０４ｂ、１０４ｃの流速を共に中速としたり、例えば流動化ガス１０４ｂ、１０４ｃの流速を共に低速とするようにしたりしてもよい。
【００８１】
また、本実施例では、第３乾燥室１１１ｃの伝熱管１０６ｃの管径を、伝熱管１０６ａ、１０６ｂよりも小さくして、乾燥物の通過を容易となるようにしている。
【００８２】
従って、原炭投入口１０２から原炭が乾燥容器１０１内に投入されると共に、流動化ガス供給部から流動化ガス１０４が乾燥容器１０１の下部から分散板１０８を通して供給されると、原炭が流動化ガス１０４により流動することで流動層Ｓ（Ｓ１、Ｓ２、Ｓ３）が形成され、この流動層Ｓの原炭が流動化ガス１０４（１０４ａ、１０４ｂ、１０４ｃ）により流動化されるとき、伝熱管１０６ａ、１０６ｂ、１０６ｃにより加熱されることで乾燥して乾燥炭となり、この乾燥炭が乾燥炭排出口１０３から外部に排出される一方、流動化ガスと原炭が乾燥することで発生した蒸気がガス排出口１０５から外部に排出される。
【００８３】
このとき、原炭投入部１０２から投入された投入直後の原炭は、水分量が多いものの、前記流動層の湿潤燃料の移動方向に乾燥容器１０１を分割して、３つの乾燥室１１１ａ、１１１ｂ、１１１ｃを形成し、各乾燥室内に流動層の湿潤燃料を加熱する３つの伝熱管１０６ａ、１０６ｂ、１０６ｃとを備えてなり、前記湿潤燃料投入部１０２側の乾燥室１１１ａ内の伝熱管１０６ａを粗く配設すると共に、該伝熱管１０６ａの加熱温度を高くすることにより、この原炭の予備乾燥が確実になされ、流動化不良、周囲への付着や堆積を抑制しつつ、第２乾燥室１１１ｂへ押し流して、定率乾燥を行い、その後第３の乾燥室１１１ｃへ押し流して、仕上げ乾燥を行うことで、実施例１に較べてより原炭の乾燥効率を向上することができる。
【００８４】
ここで、本実施例では、第１乾燥室１１１ａと第２乾燥室１１１ｂと第３乾燥室１１１ｃの床面積比を１／３ずつとしているが、本発明はこれに限定されず、これらの比率を適宜変更するようにしてもよい。
これは、原炭の処理量に応じて最適な比率が設定されるものであり、例えば原炭の処理量が多い場合には、第２乾燥室１１１ｂの定率乾燥領域を広くすることが好ましく、適宜設定される。
【符号の説明】
【００８５】
１１  給炭装置
１２  流動層乾燥装置
１３  微粉炭機
１４  石炭ガス化炉
１５  チャー回収装置
１６  ガス精製装置
１７  ガスタービン設備
１８  蒸気タービン設備
１９  発電機
２０  排熱回収ボイラ
１０１  乾燥容器
１０２  原炭投入口（湿潤燃料投入部）
１０３  乾燥炭排出口（乾燥物排出部）
１０４（１０４ａ、１０４ｂ、１０４ｃ）  流動化ガス
１０５  ガス排出口（ガス排出部）
１０６ａ，１０６ｂ、１０６ｃ  伝熱管（加熱部）
１１１ａ  第１乾燥室
１１１ｂ  第２乾燥室
１１１ｃ  第３乾燥室
１１３  仕切板
Ｆ（Ｆ１、Ｆ２、Ｆ３）  フリーボード部
Ｓ（Ｓ１、Ｓ２、Ｓ３）  流動層
【図１】
2013108700.tif 000003
【図２】
2013108700.tif 000004
【図３】
2013108700.tif 000005
【図４】
2013108700.tif 000006
【図５】
2013108700.tif 000007